(57)【要約】【課題】高齢化の進展に伴い福祉産業への社会的関心が高まっており、中でも健康維持や機能回復訓練のために、楽しみながら行いしかもリハビリ訓練にも効果的なボーリングゲーム玩具の提供を目的とする。【解決手段】ボーリングゲーム玩具に使用されるボーリングピンとピンデッキ板において、前記ボーリングピンの底側周縁部に沿って等間隔の複数箇所に一端が取り付けられた紐と、前記紐の配列に合わせて前記ピンデッキ板のボーリングゲーム所定のピン配置に対応した各位置に貫設された通し孔と、前記紐の他端側が前記通し孔からピンデッキ板の下方へそれぞれ挿通され、かつ挿通された紐の他端部が一束に纏められた構成を有している。【選択図】　　図１
2004057531.tif 000002
【特許請求の範囲】
【請求項１】
ボーリングゲーム玩具に使用されるボーリングピンとピンデッキ板において、前記ボーリングピンの底側周縁部の複数箇所に一端が取り付けられた紐と、前記ピンデッキ板のボーリングゲーム所定のピン配置に対応した各位置に前記紐の配列に合わせて貫設された通し孔と、該通し孔に前記紐の他端側がそれぞれ下方側へ挿通され、かつ挿通された前記紐の他端側を一束に纏めた結束部と、該結束部をそれぞれ一本の引き紐に連結し、連結された引き紐をさらに一つに纏めた集束部と、を備えていることを特徴とするボーリングゲーム玩具。
【請求項２】
前記紐が、前記ボーリングピンの底側周縁部に取り付けられたいずれかの紐の一端を基点として等間隔に配設されるとともに、前記通し孔の基点が前記ピンデッキ板の前方側中央を指向するよう配列されたことを特徴とする請求項１に記載のボーリングゲーム玩具。
【請求項３】
前記集束部が、別体からなるリモコン式電動装置によって牽引自在に操作されるよう構成されたことを特徴とする請求項１乃至２に記載のボーリングゲーム玩具。
【発明の詳細な説明】
【０００１】
【発明の属する技術分野】
本発明は、ボーリングゲーム玩具に関する。
【０００２】
【従来の技術】
特開平２００１−９０８１号公報では、倒れたピンを所定の正確な位置に容易に立て直すことができるボーリングゲーム玩具として、ピンデッキ板にボーリング所定のピン配置に対応した１０ヶ所の位置に通し孔をそれぞれ開け、ピンデッキ板の前方に細長いレーン板を設け、ピンデッキ板の各通し孔の上にピンをそれぞれ立て、各ピンの底側に紐の一端をそれぞれ取り付け、各紐はピンデッキ板の各通し孔から下方へ出し、各紐の他端は一つに纏めて１本の引き紐に連結している。ゲームはルールにそって行い終了後には前記の紐を引いて全部のピンを立て直すものであつた。
その他にも、介護保険法の適用をうけるデイサービスや介護老人保健施設、病院、診療所などの介護施設においては、対象者のリハビリテーションに効果的であるとしてペットボトルの瓶をボーリングゲームのピンに見立て、そのピンを目掛けてボールを転がし、倒したピンの合計で点数を競い合うゲームが広く普及している。
【０００３】
【発明が解決しようとする課題】
しかしながら、上記従来の技術では以下のような課題を有していた。特開平２００１−９０８１号で開示されたボーリングゲーム玩具は、倒れたピンを立て直すためにピン底に紐の一端を取りつけ、それぞれの紐を一つに纏めて引き紐に連結し、その端を引くことによってピンを立て直す構成とされている。従って、本技術によれば、紐の取り付け位置としては、各ピンの底側中央部に紐の一端を取り付けてあるため、ゲームに際してピンが倒された時にはピンの底側は真横を向いた状態となり、中央部に取り付けられた紐は垂直にピンデッキ板に引っ張られることになる。
以上のような構成によれば、幼児用玩具程度のピンであれば起立作用への抵抗力も小さく簡単に起き上がっても、高齢者や障害者がリハビリテーションの一助として行うゲームにあっては、ペットボトルの瓶も凡そ１０００ミリリットル程度のものが多く使用される。ところが、１０００ミリリットルの瓶を起立させるためには実験上約７００グラムの力が必要となり、１０本のピンであれば合計約７Ｋｇの力となる。そのような力で紐を引っ張ればピンデッキ板自体が不用意に動くことになり、実用性に欠ける。
さらに、施設等で行う手作りのピンによるボーリングゲームにあっては、ボールが勢いよくピンを倒した場合にはピンが予想外の方向に飛散するため、散逸したピンを毎回拾い集めて立て直す手間や、立て直す途中で他のピンに手が触れて位置がずれたり再度倒れてしまったりして１０本のピンを整列させるためには、非常に面倒な動作を必要とするなど使用性に著しく欠ける。
本発明はこれら上記の課題を解決するもので、ピン直立の動作を最も合理的な手法で簡単に行い、ピンの飛散などを完全に防ぎスピーディにゲームが進行する装置を提供することを目的とする。
【０００４】
【課題を解決するための手段】
上記の問題点を解決するため、本発明によるボーリングゲーム玩具は、以下の構成を有している。
本発明の請求項１記載のボーリングゲーム玩具は、ボーリングゲーム玩具に使用されるボーリングピンとピンデッキ板において、前記ボーリングピンの底側周縁部の複数箇所に一端が取り付けられた紐と、前記ピンデッキ板のボーリングゲーム所定のピン配置に対応した各位置に前記紐の配列に合わせて貫設された通し孔と、該通し孔に前記紐の他端側がそれぞれ下方側へ挿通され、かつ挿通された前記紐の他端側を一束に纏めた結束部と、該結束部をそれぞれ一本の引き紐に連結し、連結された引き紐をさらに一つに纏めた集束部と、を備えた構成を有している。
【０００５】
これにより、ボーリングピンの底側周縁部に沿って複数箇所に一端を取り付けた紐の他端側を、ピンデッキ板の通し孔を介して下方側へ挿通し、挿通された紐の端部を一束状に纏めて一本の引き紐に連結し、さらにそれぞれの１０本の紐を一つに纏めて集束部を設けたことにより、ゲームに際しては集束部の紐を引くだけで倒れたピンを一斉に起立させることができる。さらに、その際に要する力は、複数箇所に取り付けた紐の作用により１０００ミリリットルの瓶であれば実験上約２００グラムの力で起立する。しかも直立したピンの底は前後左右の複数箇所が下面に押し付けられているため、起立した際に反動で起こるピンの揺れを収め一瞬に静止させる作用を有する。
【０００６】
本発明の請求項２記載のボーリングゲーム玩具は、前記紐が、前記ボーリングピンの底側周縁部に取り付けられたいずれかの紐の一端を基点として等間隔に配設されるとともに、前記通し孔の基点が前記ピンデッキ板の前方側中央を指向するよう配列される構成を有している。
これにより、ピンが直立するまでの一連の動作としては、まず引き紐がピンデッキ板の前方中央側に牽引されると、ピン底周縁の後方側に位置する紐の端部がピンデッキ板の下方に強く押し付けられ、次いで、基点である前方上方側の紐の端部も同時に斜め前方下側に押し付けられることにより、梃子の原理と引き紐にかかる力の方向とが一致することによって容易に起立させる作用を有する。
【０００７】
ここで、ピンの底側周縁部に沿って取り付ける紐の配置と数は三角形で３箇所であれば理論上は所期の結果が得られるが、４角形もしくは６角形としてもよいことは勿論である。実験上からも紐の数が多くなる程ピンが倒された時に生じるピン自体の空まわりが少なくなり、ピン同士の紐の絡みによるトラブルが抑止できるからである。
【０００８】
ここで、ピンデッキ板に貫設する通し孔の配列は、基点が必ずしもピンデッキ板の前方側中央を指向することを特定するものではなく、基点の位置がピンデッキ板の後方側中央またはピンデッキ板の左右側方向であってもよい。ゲーム進行に際して指導者がボールを投げ返すためにピンデッキ板の後方側又は左右側を定位置とするのであれば、使用者のニーズに合わせて全ての基点を進行者側に向ける構成としてもよいことは勿論である。
【０００９】
ここで、ピンの底側周縁部に沿って取り付ける紐の配置は、前方側方向及び、又は後方側方向については並列状態のダブル状態としてもよい。これにより、ピンの引き起しに際して近似の２箇所が同時に引っぱられることによって、より軽快に引き起こせるからである。
【００１０】
本発明の請求項３記載のボーリングゲーム玩具は、前記引き紐の集束部が、別体からなるリモコン式電動装置によって牽引自在に操作される構成を有している。
これにより、ゲームに際してワンタッチの遠隔操作でピンが直立することでゲーム全体にスピード感が加わる作用を有する。
ここで、紐の牽引方式としては電源が近くにあればコード式電動装置であってもよいことは勿論である。
【００１１】
【発明の実施の形態】
（実施の形態１）
本発明の実施の形態１におけるボーリングゲーム玩具の実施方法について、以下図１・図２・図３に基づき説明する。図１は、本発明の１実施例であるボーリングゲーム玩具の図２におけるＡ−Ａ線断面図、図２はピンデッキ板の平面図、図３はピンデッキ板の通し孔の配置を示す平面図である。図中１はボーリングゲームのピン、２はフローリング材などからなるピンデッキ板、３・３ａ・３ｂはピンデッキ板のボーリングゲーム所定のピン配置に対応した各位置に貫通された通し孔、４・４ａ・４ｂは一端がピンの底側周縁部の複数箇所に取り付けられ他端側がピンデッキ板の通し孔を挿通して下方に引き出されかつピンの半分程度の長さに調節されたナイロンテグス状の紐、５は通し孔を挿通して下方に引き出された紐の他端側の結束部、６は結束部に連結されたナイロンテグス状の引き紐、７は引き紐をさらに一束に纏めた集束部、８・８ａはピンデッキ板の前後を支え上げ底を形成する幅板、９は前方の幅板のほぼ中央部に設けられた貫通孔、１０は集束部に連接された引き紐、１１は引き紐の終端部に取り付けられた握り環、１２はピンデッキ板の斜め前方に傾斜して設けられたレーンの立ち上げ板、１３はピンデッキ板と立ち上げ板を連節するヒンジ、１４はピンデッキ板の後方に設けられたボール留めのスペース空間である。
以上のように構成された実施の形態１におけるボーリングゲーム玩具の取り扱いについて説明する。
【００１２】
実施の形態１に係るボーリングゲーム玩具は、水平に配置したピンデッキ板２において、ボーリングゲーム所定のピン配置に対応した各位置にそれぞれ通し孔３・３ａ・３ｂを設けるとともに、ピンの底側に一端が取り付けられた紐４・４ａ・４ｂの他端側を各通し孔からピンデッキ板の下方へ出し、それらの紐の他端側を一束に纏めて結束部５を作成し、その結束部５を１本の引き紐６に連結し、さらにそれぞれの引き紐６を一つに纏めて集束部７を設けてある。
ゲームに際しては、ピンデッキ板２のボーリング所定のピン位置に合わせて立てた１０本のピンのうち最先端の１本に狙いをつけ、レーンの立ち上げ板１２に沿わせてボールを転がし、狙い通りに行けば立ち上げ板１２上を転がったボールが最先端のピンに当たり、続いて他のピンも倒すことになる。スコアは倒れたピンの数によって計算を行い勝敗を決めることになる。ゲームの再開は、引き紐１２の終端部に取り付けられた握り環１１を手動で引けば１０本のピンは一斉に起立する。ゲーム終了後にはヒンジ１３部分でピンデッキ板を折り曲げれば収納しやすい。
【００１３】
ここで、各通し孔からピンデッキ板の下方へそれぞれ出した各紐の他端側に形成される結束部及び、又は引き紐を纏める集束部の手前の部分に短寸のゴム紐やコイル状の引きバネからなる弾性体を設けてもよい。これにより、複数本の紐全体の牽引バランスが長期間であってもフアージ状態で調整される作用を有する。
【００１４】
ここで、引き紐が、ステンレススチールからなる極細のワイヤーであってもよい。さらに、それぞれの紐ごとのテンション調節手段として、ネジ山両サイドのトルクを利用するターンバックル装置を用いてもよい。メンテナンス上有効となるからである。
【００１５】
ここで、ゲーム終了後にピンデッキ板を折り曲げて収納する場合、折り曲げるピンデッキ板部分を２枚セットとして独立させてもよく、また３面をつづら折りに折畳んでもよい。ボールを転がすレーン部分の長さが確保されることと立ち上げ板の勾配が緩くできるからである。
【００１６】
ここで、紐の擦れ止めを目的としてピンデッキ板の通し孔の上下端部に擦れ止め用のリングを設けてもよい。紐の損傷が防げメンテナンス上有効となる。
【００１７】
（実施の形態２）
本発明の実施の形態２におけるボーリングゲーム玩具の実施方法について以下図４乃至図７に基づき説明する。図４は複数の引き紐の作用によりピンが起立する状態を示す参考図、図５は引き紐が３本である状態を示す参考図、図６は引き紐が４本である状態を示す参考図、図７は引き紐が６本である状態を示す参考図である。なお、実施の形態１と同様のものには同一の符号を付して説明を省略する。
以上のように構成された実施の形態２におけるボーリングゲーム玩具は図４に示すように、通し孔３の位置がピンデッキ板２の前方側中央を指向する点を基準点としてピン底周縁部にそって等間隔の位置に３ａ・３ｂが配列された構成とされている。これにより、ピンが直立する場合の一連の動作を説明すれば、結束部５が引かれると、最初にピン底周縁の紐４ａ．４ｂの基端部がピンデッキ板の通し孔３ａ．３ｂに引き付けられ、同時に紐４の基端部も斜め前方下側に引っ張られ、ピンデッキ板の通し孔３に引き付けられることによってピンはバランスよく瞬時に立ち上がる。
【００１８】
（実施の形態３）
本発明の実施の形態３におけるボーリングゲーム玩具の実施方法について以下図８に基づき説明する。図８はリモコン式電動装置の配置とガーター用の側溝を取り付けた状態を示す説明図である。なお、実施の形態１と同様のものには同一の符号を付して説明を省略する。図中１５は引き紐、１６はモータ、１７は滑車、１８は瞬間的に反発作用を生み出すスナップスタンリング機構、１９はピンデッキ板の左右両側に設けられ前方側に向かって傾斜する伸縮自在に構成されたガーター用の側溝部である。
以上のように構成された実施の形態３におけるボーリングゲーム玩具は、リモコン操作によってモータ１６が作動すると、引き紐１５が滑車１７を介してスナップスタンリング機構１８が作用し、全てのピンは一斉に起立する。
さらに、ピンデッキ板の左右両側にはガーター用の側溝部が前方側に向かって傾斜して設けてあるので、ピンデッキ板から外れたボールが側溝部を通って手元に戻ってくる。
【００１９】
ここで、ボールがピンに命中した瞬間に効果音を発生させる手段としてピンの内部に鈴を挿入してもよい。命中時の刺激感が増幅されるからである。
【００２０】
【発明の効果】
以上のように本発明におけるボーリングゲーム玩具によれば、高齢者や障害者が行うリハビリ訓練に際して有効な用具としての利用に資するだけでなく、養護施設や幼稚園のほか、各種イベントの遊具としても使用できる。
請求項１記載の発明によれば、
ａ．ピン引き起こし機構が、ピンの底側周縁部に沿って複数箇所に引き紐を取り付けてあるので、梃子の原理が働き最も軽量の力で起立させることができる。
ｂ．ゲームに際しては、集束部の紐を引くだけで倒れたピンが一斉に起立し、しかもその際に要する力は、１０００ミリリットル程度の空瓶であれば１本当たり約２００グラムの力で済む。
ｃ．ピン底は、複数本の引き紐で下方側へ引っ張られるため、起立直後の揺れは瞬時に収まり静止姿勢が速やかに整う。
請求項２記載の発明によれば、通し孔の基点が、いずれの場合も引き紐の牽引方向を指向するため、ピンの引き起こしに要する力は最も効果的となり、バランスよく瞬時に立ち上がる。
請求項３記載の発明によれば、ピンの引き起し機構がリモコン式であることによって、ゲームの進行にスピード感が加わりゲーム全体に臨場感が増す。
【図面の簡単な説明】
【図１】実施の形態１におけるボーリングゲーム玩具の図２のＡ−Ａ線断面図
【図２】実施の形態１におけるピンデッキ板の内部構成を示す平面図
【図３】実施の形態１におけるピンデッキ板の通し孔の配置を示す平面図
【図４】実施の形態２における複数の引き紐によりピンが起立する状態を示す参考図
【図５】実施の形態２における引き紐が３本である状態を示すピンの底面図
【図６】実施の形態２における引き紐が４本である状態を示すピンの底面図
【図７】実施の形態２における引き紐が６本である状態を示すピンの底面図
【図８】実施の形態３におけるリモコン式電動装置の配置とガーター用の側溝を取り付けた状態を示す説明図
【符号の説明】
１　ピン
２　ピンデッキ板
３・３ａ・３ｂ　通し孔
４・４ａ・４ｂ　ナイロンテグス状の紐
５　結束部
６　引き紐
７　集束部
８・８ａ　幅板
９　貫通孔
１０　引き紐
１１　握り環
１２　立ち上げ板
１３　ヒンジ
１４　ボール留めのスペース
１５　引き紐
１６　モータ
１７　滑車
１８　スナップスタンリング機構
１９　ガーター用の側溝部
【図１】
2004057531.tif 000003
【図２】
2004057531.tif 000004
【図３】
2004057531.tif 000005
【図４】
2004057531.tif 000006
【図５】
2004057531.tif 000007
【図６】
2004057531.tif 000008
【図７】
2004057531.tif 000009
【図８】
2004057531.tif 000010